(57)【要約】【課題】誘導加熱コイルから発生する放射ノイズが電源コードを介して外部に漏出しにくくする。【解決手段】誘導加熱調理器１０は、調理容器を載置するトッププレート１２を上面に有したケーシング１１と、ケーシング１１内の上部でトッププレート１２の下側に配設された誘導加熱コイル２０と、ケーシング１１内の下部で誘導加熱コイル２０の下側に配設された高周波電流供給回路２２を有したメイン基板２１と、ケーシング１１内の後壁に挿通された電源コード２３と、ケーシング１１内の下部でメイン基板２１の後側に配設されたノイズフィルタ２４とを備え、ケーシング１１内にはノイズフィルタ２４と電源コード２３の上側に誘導加熱コイル２０から発生する放射ノイズが伝播するのを防ぐアルミ製の遮蔽板２７を設けた。【選択図】図２
2020095781.tif 000002
【特許請求の範囲】
【請求項１】
調理容器を載置するトッププレートを上面に有したケーシングと、
前記ケーシング内の上部で前記トッププレートの下側に配設されて、前記調理容器を加熱するために誘導磁界を発生させる誘導加熱コイルと、
前記ケーシング内の下部で前記誘導加熱コイルの下側に配設されて、前記誘導加熱コイルに高周波電流を供給する高周波電流供給回路を有したメイン基板と、
前記ケーシングの後壁に挿通されて、外部電源から前記メイン基板に電力を供給する電源コードと、
前記ケーシング内の下部で前記メイン基板の後側に配設されて、前記電源コードと前記メイン基板との間のノイズを取り除くノイズフィルタとを備えた誘導加熱調理器であって、
前記ケーシング内には前記ノイズフィルタと前記電源コードの上側に前記誘導加熱コイルから発生する放射ノイズが伝播するのを防ぐアルミ製の遮蔽板を設けたことを特徴とする誘導加熱調理器。
【請求項２】
請求項１に記載の誘導加熱調理器において、
前記遮蔽板の前縁には前記電源コードが配置された左右方向の位置で下側に延びる前縁遮蔽部を設けたことを特徴とする誘導加熱調理器。
【請求項３】
請求項１に記載の誘導加熱調理器において、
前記遮蔽板を水平方向の一方が下側となるように傾斜して配設し、前記遮蔽板の前記一方を除く縁部には上側に立ち上がる側壁部を設けたことを特徴とする誘導加熱調理器。
【発明の詳細な説明】
【技術分野】
【０００１】
本発明は、トッププレートの上側に載置した鍋等の調理容器に渦電流が流れるときの電気抵抗により発生するジュール熱によって発熱させて食材を加熱調理する誘導加熱調理器に関する。
【背景技術】
【０００２】
下記の特許文献１には厨房内のカウンターに設置される誘導加熱調理器が開示されている。誘導加熱調理器は、鍋等の調理容器を載置するトッププレートを上面に有したケーシングと、ケーシング内の上部でトッププレートの下側に配設されて、調理容器を加熱するために誘導磁界を発生させる誘導加熱コイルと、ケーシング内の下部で誘導加熱コイルの下側に配設されて、誘導加熱コイルに高周波電流を供給する高周波電流供給回路を有したメイン基板と、ケーシング内の後壁に挿通されて、メイン基板に電力を供給する電源コードと、ケーシング内の下部でメイン基板の後側に配設されて、電源コードとメイン基板との間のノイズを取り除くノイズフィルタとを備えている。
【０００３】
この誘導加熱調理器においては、トッププレートの上側に鍋等の調理容器を載置して、インバータ回路により誘導加熱コイルに高周波電流を供給すると、トッププレートの上側で誘導磁界が発生し、トッププレートの上側に載置した鍋等の調理容器は渦電流が流れるときの電気抵抗により発生するジュール熱によって発熱し、鍋等の調理容器に入れた食材は発熱する調理容器内で加熱調理される。
【先行技術文献】
【特許文献】
【０００４】
【特許文献１】特開２０１７−２０８２５９号公報
【発明の概要】
【発明が解決しようとする課題】
【０００５】
上述した特許文献１に記載の誘導加熱調理器においては、ケーシング内の下部には電源コードとメイン基板との間のノイズを取り除くノイズフィルタが設けられており、このノイズフィルタは外部電源から電源コードによって供給させる電力に含まれるノイズと、インバータ回路から発生する雑音端子電圧とを低減するものである。このノイズフィルタはインバータ回路から電気配線を伝達する雑音端子電圧を低減できるものの、誘導加熱コイルから放射される放射ノイズがノイズフィルタや電源コードに伝播して外部に漏出するおそれがあった。本発明は、誘導加熱コイルから発生する放射ノイズが電源コードを介して外部に漏出しにくくすることを目的とする。
【課題を解決するための手段】
【０００６】
上記課題を解決するために、本発明は、調理容器を載置するトッププレートを上面に有したケーシングと、ケーシング内の上部でトッププレートの下側に配設されて、調理容器を加熱するために誘導磁界を発生させる誘導加熱コイルと、ケーシング内の下部で誘導加熱コイルの下側に配設されて、誘導加熱コイルに高周波電流を供給する高周波電流供給回路を有したメイン基板と、ケーシング内の後壁から挿通されて、外部電源からメイン基板に電力を供給する電源コードと、ケーシング内の下部でメイン基板の後側に配設されて、電源コードとメイン基板との間のノイズを取り除くノイズフィルタとを備えた誘導加熱調理器であって、ケーシング内にはノイズフィルタと電源コードの上側に誘導加熱コイルから発生する放射ノイズが伝播するのを防ぐアルミ製の遮蔽板を設けたことを特徴とする誘導加熱調理器を提供するものである。
【０００７】
上記のように構成した誘導加熱調理器においては、ケーシング内にはノイズフィルタと電源コードの上側に誘導加熱コイルから発生する放射ノイズが伝播するのを防ぐアルミ製の遮蔽板を設けたので、誘導加熱コイルから発生する放射ノイズが遮蔽板によってノイズフィルタ及び電源コードに伝播するのを防ぐことができ、放射ノイズが電源コードを介して外部に漏出するのを低減できた。
【０００８】
上記のように構成した誘導加熱調理器においては、遮蔽板の前縁には電源コードが配置された左右方向の位置で下側に延びる前縁遮蔽部を設けるのが好ましい。このようにしたときには、誘導加熱コイルから遮蔽板の下側に斜めに入射する放射ノイズが前縁遮蔽部によって遮られて電源コードに伝播しにくくすることができた。
【０００９】
上記のように構成した誘導加熱調理器においては、遮蔽板を水平方向の一方が下側となるように傾斜して配設し、遮蔽板の一方を除く縁部には上側に立ち上がる側壁部を設けるのが好ましい。このようにしたときには、ケーシングの上部から水が流入したときに、遮蔽板で水を受けて水平方向の一方に流すことができるようになり、ケーシング内の水平方向の一方以外に水を流さないようにすることができた。
【図面の簡単な説明】
【００１０】
【図１】本発明の誘導加熱調理器の斜視図である。
【図２】誘導加熱調理器のトッププレートと前壁を取り外した斜視図である。
【図３】図２から誘導加熱コイルと第１及び第２導風ガイドを取り外した斜視図である。
【図４】取付部材から誘導加熱コイル、メイン基板及びノイズフィルタ基板等を取り外した分解斜視図である。
【図５】遮蔽板を変更した実施形態の図４に相当する分解斜視図である。
【発明を実施するための最良の形態】
【００１１】
以下、本発明の誘導加熱調理器の一実施形態を添付図面を参照して説明する。図１〜図３に示したように、この実施形態の誘導加熱調理器１０は、厨房のカウンター等に設置され、インバータ回路２２から誘導加熱コイル２０に高周波電流を供給したときにトッププレート１２の上側で誘導磁界を発生させ、トッププレート１２の上側に載置した鍋等の調理容器に渦電流が流れるときの電気抵抗により発生するジュール熱によって鍋等の調理容器を発熱させ、発熱する調理容器に入れた食材を加熱調理するものである。誘導加熱調理器１０は、鍋等の調理容器を載置するトッププレート１２を上面に有したケーシング１１と、ケーシング１１内にてトッププレート１２の下側に配設されて調理容器を加熱するために誘導磁界を発生させる誘導加熱コイル２０と、ケーシング１１の下部に配設されて誘導加熱コイル２０に高周波電流を供給するインバータ回路（高周波電流供給回路）２２を有したメイン基板２１と、ケーシング１１の後壁に挿通されてメイン基板２１に外部電源から電力を供給する電源コード２３と、ケーシング１１内の下部でメイン基板２１の後側に配設されて、電源コード２３とメイン基板２１との間のノイズを取り除くノイズフィルタ２４とを備えている。
【００１２】
図１及び図２に示したように、ケーシング１１はトッププレート１２を含めて略直方体形状をしている。図２に示したように、ケーシング１１内には上側から見たときに後側に開く略コ字形をした取付部材１３が後側に寄せて設けられており、取付部材１３には誘導加熱コイル２０が取り付けられている。この誘導加熱コイル２０は高周波電流が供給されたときに発生する誘導磁界の影響によりトッププレート１２の上面に載置した鍋等の調理容器に渦電流が流れるようにして、調理容器を渦電流が流れるときの電気抵抗により発生するジュール熱によって発熱させるものである。
【００１３】
図３及び図４に示したように、ケーシング１１内の下部には誘導加熱コイル２０に高周波電流を供給するインバータ回路（高周波電流供給回路）２２を有したメイン基板２１が設けられている。インバータ回路２２は高周波電流を発生させるために大型のコンデンサやスイッチング素子を備え、インバータ回路２２は高周波電流を発生させるときに大型のコンデンサやスイッチング素子からの発熱が多くなっている。メイン基板２１にはノイズフィルタ基板２４を介して電源コード２３が接続されており、電源コード２３はケーシング１１の後壁の右下部を貫通して外側に導出されて外部電源に接続されている。メイン基板２１のインバータ回路２２は外部電源から電源コード２３によって供給される電力によって誘導加熱コイル２０に高周波電流を供給する。
【００１４】
図３及び図４に示したように、ケーシング１１内の下部にはメイン基板２１の後側にノイズフィルタ基板（ノイズフィルタ）２４が設けられており。ノイズフィルタ基板２４は外部の商用電源から電源コード２３を伝播するノイズと、メイン基板２１のインバータ回路２２から発生して電気配線を伝播する雑音端子電圧（ノイズ）を低減させるものである。
【００１５】
図２〜図４に示したように、取付部材１３の前壁には上下に冷却ファン２５（２５，２５ｂ）が設けられている。上側の冷却ファン２５ａは誘導加熱コイル２０を冷却するものであり、下側の冷却ファン２５ｂはメイン基板２１のインバータ回路２２を冷却するものである。図４に示したように、取付部材１３の前壁には上側の冷却ファン２５ａの後側に樹脂製の第１導風ガイド２６ａが設けられている。第１導風ガイド２６ａは上側及び前側が開いた略箱形をし、上側の冷却ファン２５ａによる送風を誘導加熱コイル２０の中心部に向けて案内している。メイン基板２１には下側の冷却ファン２５ｂの後側に樹脂製の第２導風ガイド２６ｂが設けられている。第２導風ガイド２６ｂは左右方向に沿った鉛直方向の断面形状が下側に開いた略コ字形をしてインバータ回路２２の放熱フィンの上側で前後に延び、下側の冷却ファン２５ｂによる送風をインバータ回路２２の放熱フィンを通過させるようにしている。
【００１６】
図２〜図４に示したように、ケーシング１１内には誘導加熱コイル２０の下側でノイズフィルタ基板２４と電源コード２３の上側にアルミ製の遮蔽板２７が設けられており、遮蔽板２７は誘導加熱コイル２０から発生する放射ノイズがノイズフィルタ基板２４と電源コード２３に伝播するのを防ぐ機能を有している。遮蔽板２７はケーシング１１の前後方向の中間部から後縁まで延出し、ケーシング１１の後壁及び取付部材１３の左右の側壁に密着した状態で取り付けられている。遮蔽板２７の前縁の右側部には下側に延びる前縁遮蔽部２７ａが設けられている。前縁遮蔽部２７ａは電源コード２３が配設されている左右方向の位置と同じ位置に設けられており、誘導加熱コイル２０から発生する放射ノイズが遮蔽板２７の下側で電源コード２３に伝播するのを防ぐためのものである。
【００１７】
上記のように構成した誘導加熱調理器１０の作動について説明する。調理人が食材を入れた鍋等の調理容器をトッププレート１２の上側に載置し、ケーシング１１の前面に設けられた操作パネル１４を操作して調理を開始させると、インバータ回路２２には外部の電源から電源コード２３によって電力が供給され、誘導加熱コイル２０にはインバータ回路２２から高周波電流が供給される。トッププレート１２の上側には誘導加熱コイル２０に高周波電流が供給されたときに誘導磁界が発生し、トッププレート１２の上側に載置した鍋等の調理容器は渦電流が流れるときの電気抵抗によるジュール熱によって発熱し、鍋等の調理容器に入れた食材は発熱する調理容器によって加熱調理される。
【００１８】
誘導加熱コイル２０に高周波電流を供給したときに、誘導加熱コイル２０からケーシング１１内に放射ノイズが発生し、放射ノイズがノイズフィルタ基板２４及び電源コード２３に伝播するおそれがあった。この実施形態の誘導加熱調理器１０においては、誘導加熱コイル２０はケーシング１１内の上部に配設され、ノイズフィルタ基板２４と電源コード２３は誘導加熱コイル２０の下側となるケーシング１１内の後側下部に配置されており、ケーシング１１内にはノイズフィルタ基板２４と電源コード２３の上側に誘導加熱コイル２０から発生する放射ノイズが伝播するのを防ぐアルミ製の遮蔽板２７を設けた。これによって、誘導加熱コイル２０から発生する放射ノイズがノイズフィルタ基板２４と電源コード２３に伝播するのを防ぐことができ、放射ノイズが電源コード２３を介して外部に漏出するのを低減できた。
【００１９】
また、この遮蔽板２７の前縁には電源コード２３が配置された左右方向の位置で下側に延びる前縁遮蔽部２７ａが設けられている。これによって、誘導加熱コイル２０から遮蔽板２７の下側に斜めに入射する放射ノイズが前縁遮蔽部２７ａによって電源コード２３に伝播するのを防ぐことができ、放射ノイズが電源コード２３を介して外部に漏出するのを低減できた。この実施形態では、電源コード２３はケーシング１１の右側部に配置されており、前縁遮蔽部２７ａもケーシング１１内にて遮蔽板２７の右側部に設けられているが、これに限られるものでなく、電源コード２３がケーシング１１の左側部に配置されているときには、前縁遮蔽部２７ａをケーシング１１内にて遮蔽板２７の左側部に設け、電源コード２３がケーシング１１内の左右方向の中央部に配置されているときには、前縁遮蔽部２７ａをケーシング１１内にて遮蔽板２７の左右方向の中央部に設ければよい。
【００２０】
上記のように構成した誘導加熱調理器１０では、遮蔽板２７をケーシング１１内の前後方向の中間部よりも後側に延出させてノイズフィルタ基板２４と電源コード２３の上側に配置したが、これに限られるものでなく、図５に示したように、遮蔽板２７をケーシング１１内で前部から後縁まで延出させるようにしたものであってもよい。この場合には、遮蔽板２７を上下方向の中間部で上側の冷却ファン２５ａと下側の冷却ファン２５ｂとの間に配置するのが好ましい。遮蔽板２７を上下の冷却ファン２５ａ、２５ｂの間に配置したときには、遮蔽板２７をメイン基板２１の導風ガイドとして機能させるようにでき、第２導風ガイド２６ｂを用いなくてもよくなる。
【００２１】
また、遮蔽板２７はケーシング１１の上部から内部に水が流入したときの水受けとしても機能し、メイン基板２１及びノイズフィルタ基板２４に水がかかるのを防ぐことができる。この場合に、遮蔽板２７は水平方向の一方として前方が下側となるように配設され、遮蔽板２７の一方を除く縁部として左右の側縁部と後縁部には上側に立ち上がる側壁部２７ｂが設けられている。これにより、ケーシング１１の上部から内部に流入した水が遮蔽板２７で受けられたときに、遮蔽板２７で受けた水を側壁部２７ｂによって左右の側縁と後縁（水平方向の一方以外）から流れ落ちないようにして、遮蔽板２７で受けた水を前部（水平方向の一方）からだけ流すことができ、メイン基板２１及びノイズフィルタ基板２４が配置されていない位置に確実に水が流れ落ちるようにすることができた。
【符号の説明】
【００２２】
１０…誘導加熱調理器、１１…ケーシング、１２…トッププレート、２０…誘導加熱コイル、２１…メイン基板、２２…高周波電流供給回路（インバータ回路）、２３…電源コード、２４…ノイズフィルタ（ノイズフィルタ基板）、２７…遮蔽板、２７ａ…前縁遮蔽部、２７ｂ…側壁部。
【図１】
2020095781.tif 000003
【図２】
2020095781.tif 000004
【図３】
2020095781.tif 000005
【図４】
2020095781.tif 000006
【図５】
2020095781.tif 000007